(57)【要約】【課題】被写体と臥台との間への設置を容易とし、該被写体への負担を軽減すると共に、その設置作業を効率的に行い、且つ、小型化を図る。【解決手段】放射線検出カセッテ２４のケーシング３６には、患者１４に臨む第１平板部３８と手術台１６に臨む第２平板部４０とが所定間隔離間して設けられ、前記第１及び第２平板部３８、４０の間に放射線検出器５２が配設されると共に、前記第１及び第２平板部３８、４０の両側部に、徐々に先細状となる第１及び第２テーパ部４２、４４が形成される。そして、第１及び第２テーパ部４２、４４の内部には、放射線遮断部材６０ａ、６０ｂを介してバッテリ６２、カセッテ制御部６４及び送受信機６６が収容される。【選択図】図２
2009053662.tif 000002
【特許請求の範囲】
【請求項１】
放射線源から照射され被写体を透過した放射線を検出し、放射線画像情報に変換可能な放射線変換パネルが収容された筐体と、
前記筐体に設けられ、先端に向かって徐々に先細状となるテーパ部と、
を備え、
前記テーパ部は、前記筐体が前記被写体と該被写体が臥位する臥台との間に設置される際、前記被写体及び臥台に対峙しない前記筐体の側面に設けられると共に、前記テーパ部の内部には、外部と無線通信が可能な無線通信手段を備えることを特徴とするカセッテ。
【請求項２】
請求項１記載のカセッテにおいて、
前記テーパ部の内部には、放射線の透過を遮断可能な放射線遮断部材が設けられ、該放射線遮断部材の内部に、前記無線通信手段が配設されることを特徴とするカセッテ。
【請求項３】
請求項１又は２記載のカセッテにおいて、
前記テーパ部の内部には、前記放射線変換パネル及び無線通信手段を駆動するバッテリが配設されることを特徴とするカセッテ。
【発明の詳細な説明】
【技術分野】
【０００１】
本発明は、被写体を透過した放射線を検出し、放射線画像情報に変換する放射線変換パネルを収容したカセッテに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
このような放射線変換パネルは、無線通信手段及びバッテリと共にカセッテに収容され、前記放射線変換パネルの撮影面に対峙した放射線源からＸ線を照射している（例えば、特許文献１参照）。
【０００５】
【特許文献１】特開２００３−１７２７８３号公報
【発明の開示】
【発明が解決しようとする課題】
【０００６】
ところで、このようなカセッテは、例えば、ベッド上に臥位している患者と前記ベッドとの間に配置され、該患者の患部に対応した位置に設置されて撮影が行われる。しかしながら、一般的に、カセッテは、薄型箱状に形成され、且つ、患者とベッドとの間に挿入するように設置させる必要があるため、前記患者に対する負担が大きく、しかも、その設置作業が困難となる。そのため、カセッテの設置作業をより簡便且つ効率的に行いたいという要請がある。
【０００７】
本発明は、前記の課題を考慮してなされたものであり、被写体と臥台との間への設置を容易とし、その設置作業による該被写体への負担を軽減すると共に、作業を効率的に行い、且つ、小型化を図ることが可能なカセッテを提供することを目的とする。
【課題を解決するための手段】
【０００８】
前記の目的を達成するために、本発明は、放射線源から照射され被写体を透過した放射線を検出し、放射線画像情報に変換可能な放射線変換パネルが収容された筐体と、
前記筐体に設けられ、先端に向かって徐々に先細状となるテーパ部と、
を備え、
前記テーパ部は、前記筐体が前記被写体と該被写体が臥位する臥台との間に設置される際、前記被写体及び臥台に対峙しない前記筐体の側面に設けられると共に、前記テーパ部の内部には、外部と無線通信が可能な無線通信手段を備えることを特徴とする。
【発明の効果】
【０００９】
本発明によれば、放射線変換パネルの収容された筐体には、先端に向かって徐々に先細状となるテーパ部を備え、前記テーパ部の内部に外部と無線通信が可能な無線通信手段を収容しているため、前記該筐体を含むカセッテが被写体と該被写体が臥位する臥台との間に設置する際、前記被写体及び臥台に対峙しない側面に設けられたテーパ部によって前記被写体と臥台との間に徐々に進入させることが可能となる。従って、テーパ部を介してカセッテを被写体と臥台との間に容易に進入させて設置することができ、しかも、その設置作業による被写体への負担を軽減させることができる。その結果、カセッテの設置作業を効率的に行うことができる。また、テーパ部内に無線通信手段を収容することにより、筐体内のスペースを有効に利用することができ、該筐体を含むカセッテの小型化を図ることが可能となる。
【発明を実施するための最良の形態】
【００１０】
図１は、本実施の形態に係るカセッテが用いられた放射線画像撮影システム１０が設置された手術室１２の説明図である。手術室１２には、放射線画像撮影システム１０に加えて、患者（被写体）１４が横臥する手術台（臥台）１６が配置されると共に、医師１８が手術に使用する各種器具が載置される器具台２０が手術台１６の側部に配置される。また、手術台１６には、麻酔器、吸引器、心電計、血圧計等、手術に必要な様々な機器が配置される。
【００１１】
放射線画像撮影システム１０は、撮影条件に従った線量からなる放射線Ｘを患者１４に照射する撮影装置２２と、患者１４を透過した放射線Ｘを検出する放射線検出器（放射線変換パネル）５２（後述する）を内蔵した放射線検出カセッテ（カセッテ）２４と、放射線検出器５２によって検出された放射線Ｘに基づく放射線画像を表示する表示装置２６と、前記撮影装置２２、放射線検出カセッテ２４及び表示装置２６を制御するコンソール２８とを備える。この撮影装置２２、放射線検出カセッテ２４、表示装置２６及びコンソール２８間では、無線通信による信号の送受信が行われる。
【００１２】
撮影装置２２は、複数の自在アーム３２によって移動自在に設けられ、患者１４の撮影部位に応じた所望の位置に移動可能であると共に、医師１８による手術の邪魔とならない位置に待避可能である。同様に、表示装置２６は、自在アーム３４に連結され、撮影された放射線画像を医師１８が容易に確認できる位置に移動可能である。
【００１３】
図２〜図４は、放射線検出カセッテ２４の外観及び内部構成図である。
【００１４】
放射線検出カセッテ２４は、放射線Ｘを透過させる材料からなるケーシング（筐体）３６を備える。このケーシング３６は、略長方形状で所定間隔離間した一組の第１及び第２平板部３８、４０と、該第１及び第２平板部３８、４０の長手方向に沿った両側部に設けられる一組の第１及び第２テーパ部４２、４４と、前記第１及び第２平板部３８、４０、第１及び第２テーパ部４２、４４に対して略直交し、その端部を閉塞する一組の接続壁４６ａ、４６ｂとから構成される。なお、ケーシング３６は、第１平板部３８が撮影装置２２に臨み、第２平板部４０が手術台１６に臨むように配置される。
【００１５】
この放射線検出カセッテ２４を構成する第１平板部３８と第２平板部４０との間には、放射線Ｘが照射されるケーシング３６の照射面４８側から、患者１４による放射線Ｘの散乱線を除去するグリッド５０、患者１４を透過した放射線Ｘを検出する放射線検出器５２、及び、前記放射線Ｘのバック散乱線を吸収する鉛板５４が順に配設される。なお、ケーシング３６の照射面４８をグリッドとして構成してもよい。
【００１６】
第１及び第２テーパ部４２、４４は、断面略Ｖ字状に形成され、第１及び第２平板部３８、４０の両側部から離間する方向に徐々に先細となるテーパ状に形成される。
【００１７】
この第１及び第２テーパ部４２、４４は、第１平板部３８に接合され、所定角度で下方に向かって延在する第１傾斜部５６と、第２平板部４０に接合され、所定角度で上方に向かって延在する第２傾斜部５８とから構成され、前記第１傾斜部５６の端部と第２傾斜部５８の端部とが第１及び第２平板部３８、４０から所定間隔離間した位置で互いに接合される。なお、第１及び第２テーパ部４２、４４は、第１及び第２平板部３８、４０を挟んで互いに離間する方向に向かって先細状となった対称形状で形成される。
【００１８】
すなわち、ケーシング３６は、その長手方向と直交した幅方向（矢印Ａ方向）の略中央部が、第１及び第２平板部３８、４０によって一定厚さで形成され、前記幅方向（矢印Ａ方向）の両端部が外側に向かって徐々に厚さが薄くなるように形成される。換言すれば、ケーシング３６を含む放射線検出カセッテ２４は、幅方向（矢印Ａ方向）における両端部から中央部に向かって厚肉状となるように形成されている。
【００１９】
第１テーパ部４２の内部には、その内壁面に沿って放射線Ｘの透過を遮断可能な放射線遮断部材６０ａが設けられ、中空状に形成された放射線遮断部材６０ａの内部に放射線検出カセッテ２４の電源であるバッテリ６２が収容される。
【００２０】
一方、第２テーパ部４４の内部には、第１テーパ部４２と同様に、内壁面に沿って放射線Ｘの透過を遮断可能な放射線遮断部材６０ｂが設けられ、中空状に形成された放射線遮断部材６０ｂの内部には、前記バッテリ６２から供給される電力により放射線検出器５２を駆動制御するカセッテ制御部６４と、前記放射線検出器５２によって検出した放射線Ｘの情報を含む信号をコンソール２８との間で送受信する送受信機（無線通信手段）６６とが収容される。この放射線遮断部材６０ａ、６０ｂは、例えば、シート状の鉛から形成された放射線遮断シートからなる。
【００２１】
このように、第１及び第２テーパ部４２、４４に筒状の放射線遮断部材６０ａ、６０ｂを設け、その内部にバッテリ６２、カセッテ制御部６４及び送受信機６６を収容することにより、ケーシング３６の照射面４８に照射される放射線Ｘによる損傷を回避することが可能となり、前記バッテリ６２、カセッテ制御部６４及び送受信機６６が好適に保護されることとなる。
【００２２】
なお、第１及び第２テーパ部４２、４４に収容されるバッテリ６２、カセッテ制御部６４及び送受信機６６の配置は、上述した場合に限定されるものではなく、例えば、第１テーパ部４２に前記バッテリ６２、カセッテ制御部６４及び送受信機６６の全てを収容するようにしてもよいし、反対に、第２テーパ部４４に前記バッテリ６２、カセッテ制御部６４及び送受信機６６の全てを収容するようにしてもよい。
【００２３】
一組の接続壁４６ａ、４６ｂは、第１及び第２平板部３８、４０、第１及び第２テーパ部４２、４４とからなる断面形状に応じた扁平菱形状に形成される。
【００２４】
図５は、放射線検出器５２の回路構成ブロック図である。放射線検出器５２は、放射線Ｘを感知して電荷を発生させるアモルファスセレン（ａ−Ｓｅ）等の物質からなる光電変換層６９を行列状の薄膜トランジスタ（ＴＦＴ：Ｔｈｉｎ  Ｆｉｌｍ  Ｔｒａｎｓｉｓｔｏｒ）７０のアレイの上に配置した構造を有し、発生した電荷を蓄積容量７１に蓄積した後、各行毎にＴＦＴ７０を順次オンにして、電荷を画像信号として読み出す。図５では、光電変換層６９及び蓄積容量７１からなる１つの画素６８と１つのＴＦＴ７０との接続関係のみを示し、その他の画素６８の構成については省略している。なお、アモルファスセレンは、高温になると構造が変化して機能が低下してしまうため、所定の温度範囲内で使用する必要がある。従って、放射線検出カセッテ２４内に放射線検出器５２を冷却する手段を配設することが好ましい。
【００２５】
各画素６８に接続されるＴＦＴ７０には、行方向と平行に延びるゲート線７２と、列方向と平行に延びる信号線７４とが接続される。各ゲート線７２は、ライン走査駆動部７６に接続され、各信号線７４は、読取回路を構成するマルチプレクサ８４に接続される。
【００２６】
ゲート線７２には、行方向に配列されたＴＦＴ７０をオンオフ制御する制御信号Ｖｏｎ、Ｖｏｆｆがライン走査駆動部７６から供給される。この場合、ライン走査駆動部７６は、ゲート線７２を切り替える複数のスイッチＳＷ１と、スイッチＳＷ１の１つを選択する選択信号を出力するアドレスデコーダ７８とを備える。アドレスデコーダ７８には、カセッテ制御部６４からアドレス信号が供給される。
【００２７】
また、信号線７４には、列方向に配列されたＴＦＴ７０を介して各画素６８の蓄積容量７１に保持されている電荷が流出する。この電荷は、増幅器８０によって増幅される。増幅器８０には、サンプルホールド回路８２を介してマルチプレクサ８４が接続される。マルチプレクサ８４は、信号線７４を切り替える複数のスイッチＳＷ２と、スイッチＳＷ２の１つを選択する選択信号を出力するアドレスデコーダ８６とを備える。アドレスデコーダ８６には、カセッテ制御部６４からアドレス信号が供給される。マルチプレクサ８４には、Ａ／Ｄ変換器８８が接続され、前記Ａ／Ｄ変換器８８によってデジタル信号に変換された放射線画像情報がカセッテ制御部６４に供給される。
【００２８】
図６は、撮影装置２２、放射線検出カセッテ２４、表示装置２６及びコンソール２８からなる放射線画像撮影システム１０の構成ブロック図である。
【００２９】
撮影装置２２は、撮影スイッチ９０と、放射線Ｘを出力する放射線源９２と、コンソール２８から無線通信により撮影条件を受信する一方、撮影完了信号等を無線通信でコンソール２８に対して送信する送受信機９４と、撮影スイッチ９０から供給される撮影開始信号及び送受信機９４から供給される撮影条件に基づいて放射線源９２を制御する線源制御部９６とを備える。
【００３０】
放射線検出カセッテ２４には、放射線検出器５２、バッテリ６２、カセッテ制御部６４、送受信機６６が収容される。
【００３１】
カセッテ制御部６４は、放射線検出器５２を構成するライン走査駆動部７６のアドレスデコーダ７８及びマルチプレクサ８４のアドレスデコーダ８６に対してアドレス信号を供給するアドレス信号発生部９８と、放射線検出器５２によって検出された放射線画像情報を記憶する画像メモリ１００と、該放射線検出カセッテ２４を特定するためのカセッテＩＤ情報を記憶するカセッテＩＤメモリ１０２とを備える。
【００３２】
送受信機６６は、コンソール２８から無線通信により送信要求信号を受信する一方、前記コンソール２８に対して、カセッテＩＤメモリ１０２に記憶されたカセッテＩＤ情報、画像メモリ１００に記憶された放射線画像情報を無線通信により送信する。
【００３３】
表示装置２６は、コンソール２８から放射線画像情報を受信する受信機１０４と、受信した放射線画像情報の表示制御を行う表示制御部１０６と、前記表示制御部１０６によって処理された放射線画像情報を表示する表示部１０８とを備える。
【００３４】
コンソール２８は、撮影装置２２、放射線検出カセッテ２４及び表示装置２６に対して、放射線画像情報、位置情報等を含む必要な情報を無線通信により送受信する送受信機１１０と、撮影装置２２による撮影に必要な撮影条件を管理する撮影条件管理部１１２と、放射線検出カセッテ２４から送信された放射線画像情報に対する画像処理を行う画像処理部１１４と、処理した放射線画像情報を記憶する画像メモリ１１６と、撮影対象である患者１４の患者情報を管理する患者情報管理部１１８と、放射線検出カセッテ２４から送信されたカセッテ情報を管理するカセッテ情報管理部１２０とを備える。
【００３５】
なお、コンソール２８は、撮影装置２２、放射線検出カセッテ２４及び表示装置２６に対して無線通信による信号の送受信を行うことができるのであれば、手術室１２の外に設置してもよい。
【００３６】
本実施の形態の放射線検出カセッテ２４が用いられた放射線画像撮影システム１０は、基本的には以上のように構成されるものであり、次にその動作について説明する。
【００３７】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１１８に予め登録される。また、撮影部位や撮影方法が予め決まっている場合には、これらの撮影条件を撮影条件管理部１１２に予め登録しておく。以上の準備作業が終了した状態において、患者１４に対する手術が遂行される。
【００３８】
手術中において放射線画像の撮影を行う場合、医師１８又は担当する放射線技師は、患者１４と手術台１６との間の所定位置に、ケーシング３６の第１平板部３８が撮影装置２２及び患者１４側（矢印Ｂ方向）、第２平板部４０が手術台１６側（矢印Ｃ方向）となるように放射線検出カセッテ２４を設置する。
【００３９】
ここで、放射線検出カセッテ２４の設置作業について図７Ａ〜図７Ｃを参照しながら簡単に説明する。なお、図７Ａ〜図７Ｃは、手術室１２において患者１４の足元側から見た説明図である。
【００４０】
先ず、図７Ａに示されるように、ケーシング３６の第１テーパ部４２が患者１４と手術台１６との間の所定位置に臨むように放射線検出カセッテ２４を前記手術台１６における患者１４の側方に載置する。なお、放射線検出カセッテ２４は、第１テーパ部４２を有する側部が患者１４に対して略平行となるように載置される。そして、放射線検出カセッテ２４を患者１４側（矢印Ｄ方向）に向かって移動させることにより、該放射線検出カセッテ２４は第１テーパ部４２が患者１４の側部に接触した後、第１及び第２傾斜部５６、５８を介して患者１４と手術台１６との間を押し広げるようにしながらに徐々に所定位置に向かって移動していく（図７Ｂ参照）。
【００４１】
この際、患者１４は、厚さが徐々に増大する第１テーパ部４２を介して手術台１６に対して徐々に持ち上げられるため（図７Ｂ参照）、前記第１テーパ部４２を備えていない放射線検出カセッテを設置する場合と比較し、前記患者１４と手術台１６との間の所定位置に設置される際の負担が軽減されると共に、その設置作業をより容易に行うことができる。
【００４２】
さらに、放射線検出カセッテ２４を患者１４側（矢印Ｄ方向）に向かって移動させることにより、該放射線検出カセッテ２４の第１平板部３８が前記患者１４の下側に入り込み、該患者１４の患部に応じた所定位置に設置された状態となる（図７Ｃ参照）。
【００４３】
なお、第２テーパ部４４側から放射線検出カセッテ２４を患者１４と手術台１６との間となる所定位置に設置する場合も同様である。
【００４４】
次いで、このように患者１４と手術台１６との間となる所定位置に放射線検出カセッテ２４が確実に設置された後、撮影スイッチ９０を操作して撮影を行う。この撮影装置２２の線源制御部９６は、送受信機９４、１１０を介して、コンソール２８の撮影条件管理部１１２より患者１４の撮影部位に係る撮影条件を無線通信により取得し、取得した撮影条件に従って放射線源９２を制御することにより、所定の線量からなる放射線Ｘを患者１４に照射する。
【００４５】
患者１４を透過した放射線Ｘは、放射線検出カセッテ２４のグリッド５０によって散乱線が除去された後、放射線検出器５２に照射され、放射線検出器５２を構成する各画素６８の光電変換層６９によって電気信号に変換され、蓄積容量７１に電荷として保持される（図５参照）。次いで、各蓄積容量７１に保持された患者１４の放射線画像情報である電荷情報は、カセッテ制御部６４を構成するアドレス信号発生部９８からライン走査駆動部７６及びマルチプレクサ８４に供給されるアドレス信号に従って読み出される。
【００４６】
すなわち、ライン走査駆動部７６のアドレスデコーダ７８は、アドレス信号発生部９８から供給されるアドレス信号に従って選択信号を出力してスイッチＳＷ１の１つを選択し、対応するゲート線７２に接続されたＴＦＴ７０のゲートに制御信号Ｖｏｎを供給する。一方、マルチプレクサ８４のアドレスデコーダ８６は、アドレス信号発生部９８から供給されるアドレス信号に従って選択信号を出力してスイッチＳＷ２を順次切り替え、ライン走査駆動部７６によって選択されたゲート線７２に接続された各画素６８の蓄積容量７１に保持された電荷情報である放射線画像情報を信号線７４を介して読み出す。
【００４７】
各放射線検出器５２の選択されたゲート線７２に接続された各画素６８の蓄積容量７１から読み出された放射線画像情報は、各増幅器８０によって増幅された後、サンプルホールド回路８２によってサンプリングされ、マルチプレクサ８４を介してＡ／Ｄ変換器８８に供給され、デジタル信号に変換される。デジタル信号に変換された放射線画像情報は、カセッテ制御部６４の画像メモリ１００に一旦記憶された後、送受信機６６を介して、無線通信によりコンソール２８に送信される。
【００４８】
同様にして、ライン走査駆動部７６のアドレスデコーダ７８は、アドレス信号発生部９８から供給されるアドレス信号に従ってスイッチＳＷ１を順次切り替え、各ゲート線７２に接続されている各画素６８の蓄積容量７１に保持された電荷情報である放射線画像情報を信号線７４を介して読み出し、マルチプレクサ８４及びＡ／Ｄ変換器８８を介してカセッテ制御部６４の画像メモリ１００に記憶させる。
【００４９】
コンソール２８に送信された放射線画像情報は、送受信機１１０によって受信され、画像処理部１１４において所定の画像処理が施された後、患者情報管理部１１８に登録されている患者１４の患者情報と関連付けられた状態で画像メモリ１１６に記憶される。
【００５０】
また、画像処理の施された放射線画像情報は、送受信機１１０から表示装置２６に送信される。受信機１０４によって放射線画像情報を受信した表示装置２６は、表示制御部１０６によって表示部１０８を制御し、放射線画像を表示する。医師１８は、表示部１０８に表示された放射線画像を確認しながら手術を遂行する。
【００５１】
この場合、放射線検出カセッテ２４とコンソール２８との間、撮影装置２２とコンソール２８との間、及び、コンソール２８と表示装置２６との間には、信号を送受信するためのケーブルが連結されていないため、例えば、手術室１２の床面にこれらのケーブルが配設されることがなく、医師１８等の作業に支障を来すおそれがない。
【００５２】
なお、ケーシング３６は、上述したように該ケーシング３６の両側部に沿った第１及び第２テーパ部４２、４４が設けられる場合に限定されるものではなく、例えば、一組の接続壁４６ａ、４６ｂが設けられる長手方向に沿った両端部にも、先端に向かって徐々に先細状となるテーパ部を設けるようにしてもよい。すなわち、ケーシング３６における４つの側部に全てテーパ部を設けるようにしてもよい。この場合には、ケーシング３６を含む放射線検出カセッテ２４を、患者１４と手術台１６との間に対して長手方向に沿って移動させて設置させる際にも、テーパ部によって前記患者１４に対する負担を軽減しつつ、容易に設置することが可能となる。
【００５３】
以上のように、本実施の形態では、放射線検出器５２の収容されたケーシング３６には、先端に向かって徐々に先細状となる第１及び第２テーパ部４２、４４を備え、前記第１及び第２テーパ部４２、４４の内部にバッテリ６２、カセッテ制御部６４及び送受信機６６を収容すると共に、放射線遮断部材６０ａ、６０ｂを備えている。この第１及び第２テーパ部４２、４４は、放射線検出カセッテ２４を患者１４と手術台１６との間に設置する際、前記患者１４及び手術台１６に対峙しない側面に設けられている。
【００５４】
従って、第１又は第２テーパ部４２、４４によって放射線検出カセッテ２４を患者１４と手術台１６との間に徐々に挿入させることが可能となるため、前記放射線検出カセッテ２４の設置作業を容易に行うことができ、前記設置作業を効率的に行うことができると共に、その設置作業による患者１４への負担も軽減させることができる。
【００５５】
また、第１及び第２テーパ部４２、４４の内部にバッテリ６２、カセッテ制御部６４及び送受信機６６を収容することにより、ケーシング３６内のスペースを有効に利用することができ、前記第１及び第２テーパ部４２、４４を設けることによるケーシング３６の大型化を抑制することができる。その結果、ケーシング３６を含む放射線検出カセッテ２４の小型化を図ることが可能となる。
【００５６】
放射線検出カセッテ２４は、手術室１２等で使用されるとき、血液やその他の雑菌が付着するおそれがある。そこで、放射線検出カセッテ２４を防水性、密閉性を有する構造とし、必要に応じて殺菌洗浄することにより、１つの放射線検出カセッテ２４を繰り返し続けて使用することができる。
【００５７】
放射線検出カセッテ２４は、手術室１２で使用される場合に限られるものではなく、例えば、検診や病院内での回診にも適用することができる。
【００５８】
また、放射線検出カセッテ２４と外部機器との間での無線通信は、通常の電波による通信に代えて、赤外線等を用いた光無線通信で行うようにしてもよい。
【００５９】
図８に示すように、放射線検出カセッテ５００を構成すると、一層好適である。
【００６０】
すなわち、放射線検出カセッテ５００には、ケーシング５０２の放射線照射面側に、撮影領域及び撮影位置の基準となるガイド線５０４が形成される。このガイド線５０４を用いて、放射線検出カセッテ５００に対する被写体の位置決めを行い、また、放射線の照射範囲を設定することにより、放射線画像情報を適切な撮影領域に記録することができる。
【００６１】
放射線検出カセッテ５００の撮影領域外の部位には、当該放射線検出カセッテ５００に係る各種情報を表示する表示部５０６を配設する。この表示部５０６には、放射線検出カセッテ５００に記録される被写体のＩＤ情報、放射線検出カセッテ５００の使用回数、累積曝射線量、放射線検出カセッテ５００に内蔵されているバッテリ６２の充電状態（残容量）、放射線画像情報の撮影条件、被写体の放射線検出カセッテ５００に対するポジショニング画像等を表示させる。この場合、技師は、例えば、表示部５０６に表示されたＩＤ情報に従って被写体を確認するとともに、当該放射線検出カセッテ５００が使用可能な状態にあることを事前に確認し、表示されたポジショニング画像に基づいて被写体の所望の撮影部位を放射線検出カセッテ５００に位置決めして、最適な放射線画像情報の撮影を行うことができる。
【００６２】
また、放射線検出カセッテ５００に取手部５０８を形成することにより、当該放射線検出カセッテ５００の取り扱い、持ち運びが容易になる。
【００６３】
放射線検出カセッテ５００の側部には、ＡＣアダプタの入力端子５１０と、ＵＳＢ（Universal Serial Bus）端子５１２と、メモリカード５１４を装填するためのカードスロット５１６とを配設すると好適である。
【００６４】
入力端子５１０は、放射線検出カセッテ５００に内蔵されているバッテリ６２の充電機能が低下しているとき、あるいは、バッテリ６２を充電するのに十分な時間を確保できないとき、ＡＣアダプタを接続して外部から電力を供給することにより、当該放射線検出カセッテ５００を直ちに使用可能な状態とすることができる。
【００６５】
ＵＳＢ端子５１２又はカードスロット５１６は、放射線検出カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００６６】
手術室１２や病院内の必要な個所には、図９に示すように、放射線検出カセッテ２４が装填され、内蔵されるバッテリ６２の充電を行うクレードル５１８を配置すると好適である。この場合、クレードル５１８は、バッテリ６２の充電だけでなく、クレードル５１８の無線通信機能又は有線通信機能を用いて、ＨＩＳ、ＲＩＳ、コンソール２８等の外部機器との間で必要な情報の送受信を行うようにしてもよい。送受信する情報には、クレードル５１８に装填された放射線検出カセッテ２４に記録された放射線画像情報を含めることができる。
【００６７】
また、クレードル５１８に表示部５２０を配設し、この表示部５２０に対して、装填された当該放射線検出カセッテ２４の充電状態や、放射線検出カセッテ２４から取得した放射線画像情報を含む必要な情報を表示させるようにしてもよい。
【００６８】
また、複数のクレードル５１８をネットワークに接続し、各クレードル５１８に装填されている放射線検出カセッテ２４の充電状態をネットワークを介して収集し、使用可能な充電状態にある放射線検出カセッテ２４の所在を確認できるように構成することもできる。
【００６９】
なお、本発明は、上述した実施形態に限定されるものではなく、本発明の主旨を逸脱しない範囲で自由に変更できることは勿論である。
【図面の簡単な説明】
【００７０】
【図１】本実施の形態に係る放射線画像撮影システムの設置された手術室の説明図である。
【図２】放射線検出カセッテの内部構成斜視図である。
【図３】図２に示す放射線検出カセッテの平面図である。
【図４】図２に示す放射線検出カセッテの縦断面図である。
【図５】放射線検出器の回路構成ブロック図である。
【図６】放射線画像撮影システムの構成ブロック図である。
【図７】図７Ａ〜図７Ｃは、放射線検出カセッテを患者と手術台との間に設置する際の一連の動作を示す説明図である。
【図８】放射線検出カセッテの他の構成図である。
【図９】放射線カセッテの充電を行うクレードルの構成図である。
【符号の説明】
【００７１】
１０…放射線画像撮影システム        １２…手術室
１４…患者                          １６…手術台
２２…撮影装置                      ２４、５００…放射線検出カセッテ
２６…表示装置                      ２８…コンソール
３６…ケーシング                    ３８…第１平板部
４０…第２平板部                    ４２…第１テーパ部
４４…第２テーパ部                  ４８…照射面
５２…放射線検出器                  ５６…第１傾斜部
５８…第２傾斜部                    ６０ａ、６０ｂ…放射線遮断部材
６２…バッテリ                      ６４…カセッテ制御部
６６、９４、１１０…送受信機        ９２…放射線源
【図１】
2009053662.tif 000003
【図２】
2009053662.tif 000004
【図３】
2009053662.tif 000005
【図４】
2009053662.tif 000006
【図５】
2009053662.tif 000007
【図６】
2009053662.tif 000008
【図７】
2009053662.tif 000009
【図８】
2009053662.tif 000010
【図９】
2009053662.tif 000011